(57)【要約】【課題】植物を容器に収容する手間を軽減することが可能な容器を提供すること。【解決手段】容器は、植物を収容する。容器は、容器の外部に連接する収容空間を有する外側体と、外側体に取り外し可能に取り付けられることにより、少なくとも一部が収容空間に収容され、且つ、第１端ＥＧ１及び第２端ＥＧ２のそれぞれにて開口する筒状の本体部２１を備えるとともに、第１端ＥＧ１と第２端ＥＧ２とを結ぶ分離線ＳＬにて分離可能である内側体２０と、を備える。【選択図】図１１
2019177935.tif 000002
【特許請求の範囲】
【請求項１】
植物を収容する容器であって、
前記容器の外部に連接する収容空間を有する外側体と、
前記外側体に取り外し可能に取り付けられることにより、少なくとも一部が前記収容空間に収容され、且つ、第１端及び第２端のそれぞれにて開口する筒状の本体部を備えるとともに、前記第１端と前記第２端とを結ぶ分離線にて分離可能である内側体と、
を備える、容器。
【請求項２】
請求項１に記載の容器であって、
前記内側体は、所定の基準面に沿って前記内側体を取り囲むように延びるとともに、互いに係合する凸部及び凹部のうちの一方を備え、
前記外側体は、前記凸部、及び、前記凹部のうちの他方を備える、容器。
【請求項３】
請求項１又は請求項２に記載の容器であって、
前記内側体は、前記分離線を構成する２つの端部のうちの一方から延出するとともに、前記２つの端部のうちの他方の、前記本体部の内部空間を形成する壁面に沿って延びる案内面を有する案内部を備える、容器。
【請求項４】
請求項１乃至請求項３のいずれか一項に記載の容器であって、
前記内側体は、前記分離線を構成する２つの端部を互いに係合する係合部を備える、容器。
【請求項５】
請求項１乃至請求項４のいずれか一項に記載の容器であって、
前記内側体は、所定の基準線に向けて凸状に湾曲する板状体であるとともに、前記基準線から離れる方向へ変位させられた場合に復元力を生じる弾性体である湾曲部を備える、容器。
【請求項６】
請求項５に記載の容器であって、
前記第１端は、前記本体部のうちの鉛直上方向における端であり、
前記第２端は、前記本体部のうちの鉛直下方向における端であり、
前記湾曲部は、前記第２端から前記第１端へ向かって延出する、容器。
【請求項７】
請求項１乃至請求項６のいずれか一項に記載の容器であって、
前記第１端は、前記本体部のうちの鉛直上方向における端であり、
前記第２端は、前記本体部のうちの鉛直下方向における端であり、
前記内側体は、前記第２端から鉛直下方向へ向かって延出する板状体である延出部を備える、容器。
【請求項８】
植物を収容する容器の内側体であって、
前記容器の外部に連接する収容空間を有する外側体に取り外し可能に取り付けられることにより、少なくとも一部が前記収容空間に収容され、且つ、第１端及び第２端のそれぞれにて開口する筒状の本体部を備えるとともに、前記第１端と前記第２端とを結ぶ分離線にて分離可能である、内側体。
【発明の詳細な説明】
【技術分野】
【０００１】
本発明は、容器、及び、内側体に関する。
【背景技術】
【０００２】
切り花等の植物を収容する容器が知られている。この種の容器の１つとして、例えば、特許文献１に記載の容器は、底部と側壁とを有する本体と、本体に取り付けられた蓋と、を備える。蓋の天板には開口部が設けられ、この開口部に、両端が開口する筒体が接続される。この容器によれば、切り花の姿勢を所定の姿勢（例えば、切り花が直立した姿勢）に維持するとともに、転倒に際して水の漏出を少なくすることができる。
【先行技術文献】
【特許文献】
【０００３】
【特許文献１】特開２００５−２９２５８号公報
【発明の概要】
【発明が解決しようとする課題】
【０００４】
例えば、特許文献１に記載の容器においては、切り花を容器に収容するためには、切り花を切り花の茎が延びる方向に沿って移動させることにより、切り花の下端を、蓋の天板に設けられた開口部から筒体の内部に導入しなければならず、切り花を筒体に収容する手間が煩雑であった。なお、この種の課題は、切り花以外の植物を収容する容器においても同様に生じ得る。
【０００５】
本発明の目的の一つは、植物を容器に収容する手間を軽減することである。
【課題を解決するための手段】
【０００６】
一つの側面では、容器は、植物を収容する。
更に、この容器は、
上記容器の外部に連接する収容空間を有する外側体と、
上記外側体に取り外し可能に取り付けられることにより、少なくとも一部が上記収容空間に収容され、且つ、第１端及び第２端のそれぞれにて開口する筒状の本体部を備えるとともに、上記第１端と上記第２端とを結ぶ分離線にて分離可能である内側体と、
を備える。
【０００７】
また、内側体は、植物を収容する容器の内側体である。
更に、この内側体は、
上記容器の外部に連接する収容空間を有する外側体に取り外し可能に取り付けられることにより、少なくとも一部が上記収容空間に収容され、且つ、第１端及び第２端のそれぞれにて開口する筒状の本体部を備えるとともに、上記第１端と上記第２端とを結ぶ分離線にて分離可能である。
【発明の効果】
【０００８】
植物を容器に収容する手間を軽減できる。
【図面の簡単な説明】
【０００９】
【図１】第１実施形態の容器の右前上方斜視図である。
【図２】第１実施形態の容器の右後上方斜視図である。
【図３】第１実施形態の容器の右後下方斜視図である。
【図４】第１実施形態の容器の右側面図である。
【図５】第１実施形態の容器の底面図である。
【図６】第１実施形態の容器の平面図である。
【図７】図６のＶＩＩ−ＶＩＩ線により表される平面により切断された容器の断面図である。
【図８】第１実施形態の内側体の右後上方斜視図である。
【図９】第１実施形態の内側体の右前上方斜視図である。
【図１０】第１実施形態の内側体の右後下方斜視図である。
【図１１】第１実施形態の内側体の背面図である。
【図１２】第１実施形態の内側体の平面図である。
【図１３】第１実施形態の内側体の、開状態における右前上方斜視図である。
【図１４】第１実施形態の内側体の、開状態における右前下方斜視図である。
【図１５】第１実施形態の第１変形例の容器の、図７に表される第１実施形態の容器の断面に対応する断面を表す図である。
【図１６】第１実施形態の第１変形例の内側体の右前上方斜視図である。
【図１７】第１実施形態の第１変形例の内側体の右後下方斜視図である。
【図１８】第２実施形態の容器の、図７に表される第１実施形態の容器の断面に対応する断面を表す図である。
【図１９】第２実施形態の内側体の右前上方斜視図である。
【図２０】第２実施形態の内側体の右後下方斜視図である。
【図２１】第２実施形態の内側体の平面図である。
【図２２】第２実施形態の内側体の、開状態における右前上方斜視図である。
【図２３】第２実施形態の内側体の、分割体を折り曲げる前の状態における右前上方斜視図である。
【発明を実施するための形態】
【００１０】
以下、本発明の、容器、及び、内側体に関する各実施形態について図１乃至図２３を参照しながら説明する。
【００１１】
＜第１実施形態＞
（概要）
第１実施形態の容器は、植物を収容する。容器は、容器の外部に連接する収容空間を有する外側体と、外側体に取り外し可能に取り付けられることにより収容空間に収容される内側体と、を備える。内側体は、第１端にて容器の外部に連接するとともに第２端にて収容空間に連接する内部空間を有し、且つ、第１端と第２端とを結ぶ分離線にて分離可能である。
【００１２】
これによれば、内側体は、外側体から取り外された状態において、分離線にて分離する。これにより、内側体が分離することにより形成される隙間から、植物を内側体に収容できる。例えば、植物を植物の茎が延びる方向に直交する方向に移動させることによって、植物の茎の中央部を、当該隙間から内側体の内部に導入できる。従って、植物を内側体に収容する手間を軽減できる。
次に、第１実施形態の容器について、詳細に説明する。
【００１３】
（構成）
以下、図１乃至図１４に表されるように、ｘ軸、ｙ軸、及び、ｚ軸を有する右手系の直交座標系を用いて、第１実施形態の容器１を説明する。なお、本明細書において、後述の図１５乃至図２３においても同様の座標系が用いられる。
容器１は、植物を収容する。本例では、植物は、切り花（換言すると、生花）である。なお、容器１は、切り花以外の植物を収容してもよい。
【００１４】
本例では、ｘ軸方向、ｙ軸方向、及び、ｚ軸方向は、容器１の左右方向、容器１の前後方向、及び、容器１の上下方向とそれぞれ表されてもよい。また、本例では、ｘ軸の正方向、ｘ軸の負方向、ｙ軸の正方向、ｙ軸の負方向、ｚ軸の正方向、及び、ｚ軸の負方向は、容器１の右方向、容器１の左方向、容器１の前方向、容器１の後方向、容器１の上方向、及び、容器１の下方向とそれぞれ表されてもよい。
本例では、ｚ軸の正方向、及び、ｚ軸の負方向は、鉛直上方向、及び、鉛直下方向にそれぞれ一致する。
【００１５】
図１は、容器１の右方であり、容器１の前方であり、且つ、容器１の上方である位置から、容器１を見た図（換言すると、右前上方斜視図）である。図２は、容器１の右方であり、容器１の後方であり、且つ、容器１の上方である位置から、容器１を見た図（換言すると、右後上方斜視図）である。図３は、容器１の右方であり、容器１の後方であり、且つ、容器１の下方である位置から、容器１を見た図（換言すると、右後下方斜視図）である。
【００１６】
図４は、容器１の右方から容器１を見た図（換言すると、右側面図）である。図５は、容器１の下方から容器１を見た図（換言すると、底面図）である。図６は、容器１の上方から容器１を見た図（換言すると、平面図）である。図７は、図６のＶＩＩ−ＶＩＩ線により表される平面により切断された容器１の断面をｘ軸の負方向にて見た図である。
【００１７】
図１乃至図７に表されるように、容器１は、外側体１０と、内側体２０と、を備える。
例えば、外側体１０は、及び、内側体２０は、樹脂からなる。なお、外側体１０は、及び、内側体２０は、樹脂以外の材料からなっていてもよい。
【００１８】
図７に表されるように、外側体１０は、外側体１０のうちの、ｚ軸の正方向における端面にて外側体１０の外部に連接する収容空間ＳＰ１を有する。本例では、収容空間ＳＰ１は、外側体１０のうちの、ｚ軸の正方向における端面にて開口する、有底の穴である。
【００１９】
外側体１０は、下部１１と、上部１２と、を備える。下部１１は、外側体１０のうちの、ｚ軸の負方向における端部を構成する。本例では、下部１１は、ｚ軸に直交する平面（換言すると、ｘｙ平面）に沿って延びる底面と、底面から立設するとともにｚ軸方向にて延びる筒状の側壁と、を有する。
【００２０】
下部１１の側壁は、円筒状の部分と、当該円筒状の部分よりもｚ軸の正方向に位置する、円錐台筒状の部分と、を含む。なお、下部１１の側壁は、円錐台筒状であってもよい。また、下部１１の側壁は、断面が多角形を有する筒状であってもよい。また、下部１１の側壁は、ｚ軸方向に対して傾斜した方向にて延びる筒状であってもよい。また、下部１１は、ｚ軸方向にて延びる中心軸に対して軸対称でない形状を有していてもよい。
【００２１】
上部１２は、外側体１０のうちの、ｚ軸の正方向における端部を構成する。本例では、上部１２は、外側体１０のうちの下部１１以外の部分を構成する。上部１２は、下部１１のうちの、ｚ軸の正方向における端面から、ｚ軸方向にて延びる筒状の側壁を有する。
【００２２】
本例では、上部１２の側壁は、円筒状である。なお、上部１２の側壁は、円錐台筒状であってもよい。また、上部１２の側壁は、断面が多角形を有する筒状であってもよい。また、上部１２の側壁は、ｚ軸方向に対して傾斜した方向にて延びる筒状であってもよい。また、上部１２は、ｚ軸方向にて延びる中心軸に対して軸対称でない形状を有していてもよい。
【００２３】
上部１２は、凹部１２１を備える。凹部１２１は、上部１２のうちの、収容空間ＳＰ１を形成する壁面（換言すると、内壁面）において窪みを形成する。本例では、凹部１２１が形成する窪みは、断面がＣ字状である。なお、凹部１２１が形成する窪みは、断面がＣ字状以外の形状（例えば、コ字状、又は、く字状等）であってもよい。
【００２４】
凹部１２１は、所定の基準面（本例では、ｘｙ平面）に沿うとともに、上部１２の周囲の全体に亘って延びる。本例では、凹部１２１は、環状である。換言すると、凹部１２１は、基準面に沿って内側体２０を取り囲むように延びる。なお、凹部１２１は、上部１２の周囲の一部に亘って延びていてもよい。
本例では、凹部１２１は、上部１２のうちの、ｚ軸の正方向における端部に位置する。
【００２５】
このような構成により、凹部１２１は、後述の凸部２１１を収容することにより凸部２１１に係合する。
【００２６】
図８乃至図１２に表されるように、内側体２０は、本体部２１と、複数（本例では、８個）の湾曲部２２と、を備える。
図８は、内側体２０の右後上方斜視図である。図９は、内側体２０の右前上方斜視図である。図１０は、内側体２０の右後下方斜視図である。図１１は、内側体２０の後方から内側体２０を見た図（換言すると、背面図）である。図１２は、内側体２０の平面図である。
【００２７】
本体部２１は、内側体２０のうちの、ｚ軸の正方向における端部を構成する。本体部２１は、ｚ軸方向にて延びる筒状の側壁を有する。本例では、本体部２１は、本体部２１のうちの、ｚ軸の正方向における第１端ＥＧ１にて開口するとともに、本体部２１のうちの、ｚ軸の負方向における第２端ＥＧ２にて開口する。
【００２８】
本例では、本体部２１の側壁は、円筒状である。なお、本体部２１の側壁は、円錐台筒状であってもよい。また、本体部２１の側壁は、断面が多角形を有する筒状であってもよい。また、本体部２１の側壁は、ｚ軸方向に対して傾斜した方向にて延びる筒状であってもよい。また、本体部２１は、ｚ軸方向にて延びる中心軸に対して軸対称でない形状を有していてもよい。また、本体部２１の少なくとも一部は、蛇腹状であってもよい。
【００２９】
本例では、本体部２１の外径は、上部１２の内径よりも僅かに小さい。本例では、内側体２０は、本体部２１が上部１２に嵌入されることにより、外側体１０に取り外し可能に取り付けられる。内側体２０は、外側体１０に取り付けられることにより収容空間ＳＰ１に収容される。
【００３０】
本例では、内側体２０が外側体１０に取り付けられた状態において、内側体２０の内部空間ＳＰ２は、容器１の外部と収容空間ＳＰ１とを連通する。換言すると、内部空間ＳＰ２は、第１端ＥＧ１にて容器１の外部に連接するとともに第２端ＥＧ２にて収容空間ＳＰ１に連接する。
【００３１】
本例では、内側体２０が外側体１０に取り付けられた状態において、内側体２０のうちの、ｚ軸の正方向における第１端ＥＧ１は、外側体１０のうちの、ｚ軸の正方向における端よりも、ｚ軸の正方向に位置する。これによれば、内側体２０を外側体１０から容易に取り外すことができる。なお、内側体２０が外側体１０に取り付けられた状態において、内側体２０のうちの、ｚ軸の正方向における第１端ＥＧ１は、外側体１０のうちの、ｚ軸の正方向における端よりも、ｚ軸の負方向に位置してもよい。
【００３２】
本体部２１は、凸部２１１を備える。凸部２１１は、本体部２１のうちの、内部空間ＳＰ２を形成する壁面（換言すると、内壁面）と反対側の壁面（換言すると、外壁面）において突起を形成する。本例では、凸部２１１が形成する突起は、断面がＣ字状である。なお、凸部２１１が形成する突起は、断面がＣ字状以外の形状（例えば、コ字状、又は、く字状等）であってもよい。
【００３３】
凸部２１１は、所定の基準面（本例では、ｘｙ平面）に沿うとともに、本体部２１の周囲の略全体に亘って延びる。本例では、凸部２１１は、基準面に沿って内側体２０を取り囲むように延びる。凸部２１１は、本体部２１の周囲の一部に亘って延びる。
本例では、凸部２１１は、本体部２１のうちの、ｚ軸の正方向における端部に位置する。
【００３４】
このような構成により、凸部２１１は、凹部１２１に収容されることにより凹部１２１に係合する。
【００３５】
図１１に表されるように、内側体２０は、第１端ＥＧ１と第２端ＥＧ２とを結ぶ分離線ＳＬにて分離可能である。本例では、分離線ＳＬは、ｚ軸に沿って延びる直線である。なお、分離線ＳＬは、屈曲又は湾曲していてもよい。また、分離線ＳＬは、曲線又は波線を含んでいてもよい。
【００３６】
図１３は、内側体２０が分離線ＳＬにて分離した状態（換言すると、開状態）における内側体２０の右前上方斜視図である。図１４は、開状態における内側体２０の右前下方斜視図である。
本例では、図１３及び図１４に表されるように、本体部２１がｚ軸方向にて延びる直線にて折り曲げられることにより、内側体２０が分離線ＳＬにて分離される。
【００３７】
図１３及び図１４に表されるように、本体部２１は、案内部２１２を備える。
案内部２１２は、本体部２１のうちの、分離線ＳＬを構成する２つの端部のうちの一方（本例では、内側体２０の前方から内側体２０を見た場合において、分離線ＳＬの右側にて分離線ＳＬを構成する端部）から延出する。本例では、案内部２１２は、本体部２１のうちの、分離線ＳＬを構成する２つの端部のうちの他方（本例では、内側体２０の前方から内側体２０を見た場合において、分離線ＳＬの左側にて分離線ＳＬを構成する端部）の、内部空間ＳＰ２を形成する壁面（換言すると、内壁面）に沿って延びる案内面ＧＳを有する。
【００３８】
図６に表されるように、内側体２０が分離線ＳＬにて分離していない状態（換言すると、閉状態）において、本体部２１のうちの、分離線ＳＬを構成する２つの端部のうちの他方の、内部空間ＳＰ２を形成する壁面（換言すると、内壁面）は、案内面ＧＳに接する。
【００３９】
図１３及び図１４に表されるように、本体部２１は、複数（本例では、５個）の突起２１３と、複数（本例では、５個）の孔２１４と、を備える。各突起２１３は、案内面ＧＳから突出する。本例では、各突起２１３は、円柱状である。なお、各突起２１３は、円柱状と異なる形状（例えば、断面が楕円又は多角形の柱状等）であってもよい。本例では、複数の突起２１３は、ｚ軸方向において等間隔にて位置する。
【００４０】
各孔２１４は、本体部２１のうちの、分離線ＳＬを構成する２つの端部のうちの他方を貫通する。本例では、複数の孔２１４は、複数の突起２１３をそれぞれ収容可能である。本例では、複数の孔２１４は、ｚ軸方向において、複数の突起２１３とそれぞれ同じ位置を有する。
【００４１】
本例では、図９に表されるように、複数の突起２１３が複数の孔２１４にそれぞれ収容されることにより、本体部２１のうちの、分離線ＳＬを構成する２つの端部が互いに係合される。換言すると、本例では、突起２１３及び孔２１４は、内側体２０のうちの、分離線ＳＬを構成する２つの端部を互いに係合する係合部に対応する。
【００４２】
図１１及び図１２に表されるように、各湾曲部２２は、所定の基準線に向けて凸状に湾曲する板状体である。本例では、基準線は、本体部２１の中心軸を通り、且つ、ｚ軸方向にて延びる。本例では、各湾曲部２２は、本体部２１のうちの、ｚ軸の負方向における第２端ＥＧ２から鉛直下方へ向かって延出する。
【００４３】
各湾曲部２２は、隣接する湾曲部２２と分離可能である。換言すると、各湾曲部２２は、隣接する湾曲部２２に対して独立に、基準線から離れる方向、及び、基準線へ近づく方向へ変位可能である。各湾曲部２２は、基準線から離れる方向へ変位させられた場合に復元力を生じる弾性体である。本例では、複数の湾曲部２２は、複数の湾曲部２２が一体に形成された部材を切断することにより形成される。なお、複数の湾曲部２２は、互いに隔てられていてもよい。
【００４４】
図１２に表されるように、本例では、複数の湾曲部２２のうちの、ｚ軸の負方向における端が形成する閉曲線（本例では、円）の面積は、複数の湾曲部２２のうちの、ｚ軸の正方向における端が形成する閉曲線の面積よりも小さい。
なお、内側体２０が備える湾曲部２２の数は、７個以下であってもよいし、９個以上であってもよい。
【００４５】
（動作）
次に、第１実施形態の容器１の動作について説明する。
先ず、内側体２０が外側体１０から取り外された状態において、内側体２０は、内側体２０の状態が開状態に変更される。
【００４６】
次いで、内側体２０が分離線ＳＬにて分離することにより形成される隙間を通して、植物を植物の茎が延びる方向に直交する方向に移動させることによって、植物の茎の中央部が、当該隙間から内側体２０の内部に導入される。
【００４７】
次いで、内側体２０は、内側体２０の状態が閉状態に変更されるとともに、複数の突起２１３が複数の孔２１４にそれぞれ収容されることにより、本体部２１のうちの、分離線ＳＬを構成する２つの端部が互いに係合する。
【００４８】
次いで、外側体１０の鉛直上方から内側体２０が、外側体１０の上部１２に嵌入されるとともに、内側体２０の凸部２１１が、外側体１０の凹部１２１に収容されることにより、内側体２０は、外側体１０に取り外し可能に取り付けられる。次いで、容器１の収容空間ＳＰ１に水が注入される。
【００４９】
このようにして、容器１は、植物を収容する。なお、水は、内側体２０が外側体１０に取り付けられる前に収容空間ＳＰ１に注入されていてもよい。
【００５０】
以上、説明したように、第１実施形態の容器１において、外側体１０は、容器１の外部に連接する収容空間ＳＰ１を有する。内側体２０は、外側体１０に取り外し可能に取り付けられることにより、少なくとも一部が収容空間ＳＰ１に収容される。更に、内側体２０は、第１端ＥＧ１及び第２端ＥＧ２のそれぞれにて開口する筒状の本体部２１を備える。更に、内側体２０は、第１端ＥＧ１と第２端ＥＧ２とを結ぶ分離線ＳＬにて分離可能である。
【００５１】
これによれば、内側体２０は、外側体１０から取り外された状態において、分離線ＳＬにて分離する。これにより、内側体２０が分離線ＳＬにて分離することにより形成される隙間から、植物を内側体２０に収容できる。例えば、植物を植物の茎が延びる方向に直交する方向に移動させることによって、植物の茎の中央部を、当該隙間から内側体２０の内部に導入できる。従って、植物を内側体２０に収容する手間を軽減できる。
【００５２】
更に、第１実施形態の容器１において、内側体２０は、所定の基準面に沿って内側体２０を取り囲むように延びるとともに、互いに係合する凸部２１１及び凹部１２１のうちの一方である凸部２１１を備える。更に、外側体１０は、凸部２１１、及び、凹部１２１のうちの他方である凹部１２１を備える。
【００５３】
これによれば、内側体２０を外側体１０に容易に取り付けることができるとともに、内側体２０を外側体１０から容易に取り外すことができる。
また、内側体２０を外側体１０に取り付けた状態において、内側体２０と外側体１０との間に形成される隙間を小さくすることができる。この結果、外側体１０に収容された水が、内側体２０と外側体１０との間の隙間を通って容器１の外部へ漏出することを抑制できる。
【００５４】
更に、第１実施形態の容器１において、内側体２０は、分離線ＳＬを構成する２つの端部のうちの一方から延出するとともに、分離線ＳＬを構成する２つの端部のうちの他方の、本体部２１の内部空間ＳＰ２を形成する壁面に沿って延びる案内面ＧＳを有する案内部２１２を備える。
【００５５】
内側体２０が分離線ＳＬにて分離した状態（換言すると、開状態）から、内側体２０が分離線ＳＬにて分離していない状態（換言すると、閉状態）に内側体２０を変化させる際に、内側体２０のうちの、分離線ＳＬを構成する２つの端部の一方を案内面ＧＳに対して摺動させることができる。これにより、内側体２０のうちの、分離線ＳＬを構成する２つの端部の一方を、当該２つの端部の他方に接する位置に容易に移動させることができる。この結果、開状態から閉状態に内側体２０を容易に変化させることができる。
なお、内側体２０は、案内部２１２を備えなくてもよい。
【００５６】
更に、第１実施形態の容器１において、内側体２０は、分離線ＳＬを構成する２つの端部を互いに係合する係合部（本例では、突起２１３及び孔２１４）を備える。
【００５７】
これによれば、内側体２０を閉状態に容易に維持できる。この結果、植物が内側体２０に収容された状態を容易に維持できる。また、内側体２０を外側体１０に容易に取り付けることができるとともに、内側体２０を外側体１０から容易に取り外すことができる。
【００５８】
更に、第１実施形態の容器１において、内側体２０は、所定の基準線に向けて凸状に湾曲する板状体であるとともに、当該基準線から離れる方向へ変位させられた場合に復元力を生じる弾性体である湾曲部２２を備える。
【００５９】
ところで、容器１に収容される植物の量、又は、植物の茎の太さは、比較的大きく変化しやすい。このため、例えば、植物の量が少ない場合、又は、植物の茎が細い場合等において、植物の姿勢を所定の姿勢に維持できない虞があった。
【００６０】
これに対し、容器１によれば、収容される植物の量が少ない場合、又は、収容される植物の茎が細い場合であっても、湾曲部２２が生じる復元力によって、植物の姿勢を所定の姿勢に維持できる。
また、植物が容器１に収容された状態にて搬送される場合、搬送中に植物が容器１内で移動することを抑制できるので、植物が損傷する確率を低減できる。
【００６１】
更に、第１実施形態の容器１において、湾曲部２２は、第２端ＥＧ２から鉛直下方向へ向かって延出する板状体である。
【００６２】
これによれば、容器１が水平面に対して傾斜させられた場合であっても、外側体１０に収容された水が容器１の外部へ漏出することを抑制できる。
【００６３】
なお、内側体２０は、湾曲部２２を備えなくてもよい。また、内側体２０は、湾曲部２２に代えて平板状の部材を備えていてもよい。
【００６４】
第１実施形態の容器１は、外側体１０が凹部１２１を備えるとともに、内側体２０が凸部２１１を備える。ところで、第１実施形態の変形例の容器１は、外側体１０が凸部を備えるとともに、内側体２０が凹部を備えていてもよい。この場合、外側体１０の凸部は、上部１２のうちの、収容空間ＳＰ１を形成する壁面（換言すると、内壁面）において突起を形成する。また、この場合、内側体２０の凹部は、本体部２１のうちの、内部空間ＳＰ２を形成する壁面（換言すると、内壁面）と反対側の壁面（換言すると、外壁面）において窪みを形成する。
また、第１実施形態の変形例の容器１は、凸部２１１、及び、凹部１２１を備えなくてもよい。
【００６５】
第１実施形態の容器１は、内側体２０のうちの、分離線ＳＬを構成する２つの端部を互いに係合する係合部に対応する、突起２１３及び孔２１４を備える。ところで、第１実施形態の変形例の容器１は、突起２１３及び孔２１４に代えて、内側体２０のうちの、分離線ＳＬを構成する２つの端部の一方に設けられた切れ目又はスリットと、当該２つの端部の他方に設けられ且つ当該切れ目又はスリットに挿入される挿入部と、を含む係合部を備えていてもよい。
【００６６】
また、第１実施形態の変形例の容器１は、突起２１３及び孔２１４に代えて、接着テープ、粘着テープ、接着剤、又は、輪ゴム等を用いて、内側体２０を閉状態に維持してもよい。また、第１実施形態の変形例の容器１は、内側体２０のうちの、分離線ＳＬを構成する２つの端部を互いに係合する係合部を備えなくてもよい。
【００６７】
＜第１実施形態の第１変形例＞
次に、第１実施形態の第１変形例の容器について説明する。第１実施形態の第１変形例の容器は、第１実施形態の容器に対して、内側体が複数の凸部を備える点において相違している。以下、相違点を中心として説明する。なお、第１実施形態の第１変形例の説明において、第１実施形態にて使用した符号と同じ符号を付したものは、同一又は略同様のものである。
【００６８】
図１５乃至図１７に表されるように、第１実施形態の第１変形例の容器１Ａは、第１実施形態の内側体２０に代えて、内側体２０Ａを備える。
図１５は、図７に表される第１実施形態の容器１の断面に対応する、容器１Ａの断面を表す図である。図１６は、内側体２０Ａの右前上方斜視図である。図１７は、内側体２０Ａの右後下方斜視図である。
【００６９】
内側体２０Ａは、第１実施形態の内側体２０が備える構成に加えて、凸部２１５を備える。凸部２１５は、本体部２１のうちの、内部空間ＳＰ２を形成する壁面（換言すると、内壁面）と反対側の壁面（換言すると、外壁面）において突起を形成する。本例では、凸部２１５が形成する突起は、断面がＣ字状である。なお、凸部２１５が形成する突起は、断面がＣ字状以外の形状（例えば、コ字状、又は、く字状等）であってもよい。
【００７０】
凸部２１５は、所定の基準面（本例では、ｘｙ平面）に沿うとともに、本体部２１の周囲の略全体に亘って延びる。本例では、凸部２１５は、基準面に沿って内側体２０Ａを取り囲むように延びる。凸部２１５は、本体部２１の周囲の一部に亘って延びる。
本例では、凸部２１５は、本体部２１のうちの、ｚ軸の負方向における端部に位置する。
【００７１】
本例では、凸部２１５は、内側体２０Ａが外側体１０に取り付けられた状態において、外側体１０の下部１１のうちの、収容空間ＳＰ１を形成する壁面（換言すると、内壁面）に接する。
【００７２】
このような構成により、第１実施形態の第１変形例の容器１Ａは、第１実施形態の容器１と同様の作用及び効果を奏する。
【００７３】
更に、第１実施形態の第１変形例の内側体２０Ａは、内側体２０Ａが外側体１０に取り付けられた状態において、外側体１０のうちの、収容空間ＳＰ１を形成する壁面（換言すると、内壁面）に接する凸部２１５を備える。
【００７４】
これによれば、内側体２０Ａを外側体１０に取り付けた状態において、内側体２０Ａが外側体１０に対して移動することを抑制できる。
また、内側体２０Ａを外側体１０に取り付けた状態において、内側体２０Ａと外側体１０との間に形成される隙間を小さくすることができる。この結果、外側体１０に収容された水が、内側体２０Ａと外側体１０との間の隙間を通って容器１Ａの外部へ漏出することを抑制できる。
【００７５】
＜第２実施形態＞
次に、第２実施形態の容器について説明する。第２実施形態の容器は、第１実施形態の容器に対して、内側体が備える湾曲部が相違している。以下、相違点を中心として説明する。なお、第２実施形態の説明において、第１実施形態にて使用した符号と同じ符号を付したものは、同一又は略同様のものである。
【００７６】
図１８乃至図２２に表されるように、第２実施形態の容器１Ｂは、第１実施形態の内側体２０に代えて、内側体２０Ｂを備える。
図１８は、図７に表される第１実施形態の容器１の断面に対応する、容器１Ｂの断面を表す図である。図１９は、内側体２０Ｂの右前上方斜視図である。図２０は、内側体２０Ｂの右後下方斜視図である。図２１は、内側体２０Ｂの平面図である。図２２は、内側体２０Ｂが分離線ＳＬにて分離した状態（換言すると、開状態）における内側体２０Ｂの右前上方斜視図である。
【００７７】
内側体２０Ｂは、第１実施形態の内側体２０が備える、複数の湾曲部２２に代えて、複数（本例では、３個）の湾曲部２２Ｂを備える。更に、内側体２０Ｂは、第１実施形態の内側体２０が備える構成に加えて、複数（本例では、３個）の延出部２３を備える。
【００７８】
図１８及び図２２に表されるように、各湾曲部２２Ｂは、所定の基準線に向けて凸状に湾曲する板状体である。本例では、基準線は、本体部２１の中心軸を通り、且つ、ｚ軸方向にて延びる。本例では、各湾曲部２２Ｂは、本体部２１のうちの、ｚ軸の負方向における第２端ＥＧ２から第１端ＥＧ１（本例では、鉛直上方）へ向かって延出する。
【００７９】
複数の湾曲部２２Ｂは、互いに隔てられる。なお、複数の湾曲部２２Ｂは、互いに隣接していてもよい。本例では、各湾曲部２２Ｂは、当該湾曲部２２Ｂのうちの、基準線に最も近い部分が、基準線から離れる方向、及び、基準線へ近づく方向へ変位可能である。各湾曲部２２Ｂは、当該湾曲部２２Ｂのうちの、基準線に最も近い部分が、基準線から離れる方向へ変位させられた場合に復元力を生じる弾性体である。
なお、内側体２０Ｂが備える湾曲部２２Ｂの数は、２個以下であってもよいし、４個以上であってもよい。
【００８０】
図１８及び図２２に表されるように、各延出部２３は、基準線に向けて凹状に湾曲する板状体である。本例では、各延出部２３は、本体部２１のうちの、ｚ軸の負方向における第２端ＥＧ２から鉛直下方へ向かって延出する。
【００８１】
複数の延出部２３は、互いに隔てられる。なお、複数の延出部２３は、互いに隣接していてもよい。なお、内側体２０Ｂが備える延出部２３の数は、２個以下であってもよいし、４個以上であってもよい。
本例では、湾曲部２２Ｂ、及び、延出部２３は、本体部２１の中心軸に対する周方向において交互に位置する。
【００８２】
本例では、図２３に表されるように、複数の湾曲部２２Ｂ、及び、複数の延出部２３は、本体部２１の第２端ＥＧ２から鉛直下方に延出する筒状の部材を、本体部２１の中心軸に対する周方向にて等間隔に切断することにより、６個の分割体ＤＢを形成し、６個の分割体ＤＢを１つおきに鉛直上方へ折り曲げることにより形成される。
【００８３】
このような構成により、第２実施形態の容器１Ｂは、第１実施形態の容器１と同様の作用及び効果を奏する。
【００８４】
更に、第２実施形態の湾曲部２２Ｂは、第２端ＥＧ２から第１端ＥＧ１へ向かって延出する。
【００８５】
これによれば、湾曲部が第１端ＥＧ１から第２端ＥＧ２へ向かって延出する場合と比較して、容器に水を注ぐ際に、水が湾曲部に跳ね返されることにより容器の外部に零れ落ちる確率を低減できる。
【００８６】
更に、第２実施形態の内側体２０Ｂは、第２端ＥＧ２から鉛直下方向へ向かって延出する板状体である延出部２３を備える。
【００８７】
これによれば、容器１Ｂが水平面に対して傾斜させられた場合であっても、外側体１０に収容された水が容器１Ｂの外部へ漏出することを抑制できる。
【００８８】
なお、本発明は、上述した実施形態に限定されない。例えば、上述した実施形態に、本発明の趣旨を逸脱しない範囲内において当業者が理解し得る様々な変更が加えられてよい。
【符号の説明】
【００８９】
１，１Ａ，１Ｂ  容器
１０    外側体
１１    下部
１２    上部
１２１  凹部
２０，２０Ａ，２０Ｂ  内側体
２１    本体部
２１１  凸部
２１２  案内部
２１３  突起
２１４  孔
２１５  凸部
２２，２２Ｂ  湾曲部
２３    延出部
ＤＢ    分割体
ＥＧ１  第１端
ＥＧ２  第２端
ＧＳ    案内面
ＳＬ    分離線
ＳＰ１  収容空間
ＳＰ２  内部空間
【図１】
2019177935.tif 000003
【図２】
2019177935.tif 000004
【図３】
2019177935.tif 000005
【図４】
2019177935.tif 000006
【図５】
2019177935.tif 000007
【図６】
2019177935.tif 000008
【図７】
2019177935.tif 000009
【図８】
2019177935.tif 000010
【図９】
2019177935.tif 000011
【図１０】
2019177935.tif 000012
【図１１】
2019177935.tif 000013
【図１２】
2019177935.tif 000014
【図１３】
2019177935.tif 000015
【図１４】
2019177935.tif 000016
【図１５】
2019177935.tif 000017
【図１６】
2019177935.tif 000018
【図１７】
2019177935.tif 000019
【図１８】
2019177935.tif 000020
【図１９】
2019177935.tif 000021
【図２０】
2019177935.tif 000022
【図２１】
2019177935.tif 000023
【図２２】
2019177935.tif 000024
【図２３】
2019177935.tif 000025
【手続補正書】
【提出日】平成31年4月3日(2019.4.3)
【手続補正１】
【補正対象書類名】特許請求の範囲
【補正対象項目名】全文
【補正方法】変更
【補正の内容】
【特許請求の範囲】
【請求項１】
植物を収容する容器であって、
前記容器の外部に連接する収容空間を有する外側体と、
前記外側体に取り外し可能に取り付けられることにより、少なくとも一部が前記収容空間に収容され、且つ、第１端及び第２端のそれぞれにて開口する筒状の本体部を備えるとともに、前記第１端と前記第２端とを結ぶ分離線にて分離可能である内側体と、
を備え、
前記第１端は、前記本体部のうちの鉛直上方向における端であり、
前記第２端は、前記本体部のうちの鉛直下方向における端であり、
前記内側体は、前記第２端から鉛直下方向へ向かって延出する板状体である延出部を備える、容器。
【請求項２】
請求項１に記載の容器であって、
前記内側体は、所定の基準面に沿って前記内側体を取り囲むように延びるとともに、互いに係合する凸部及び凹部のうちの一方を備え、
前記外側体は、前記凸部、及び、前記凹部のうちの他方を備える、容器。
【請求項３】
植物を収容する容器の内側体であって、
前記容器の外部に連接する収容空間を有する外側体に取り外し可能に取り付けられることにより、少なくとも一部が前記収容空間に収容され、且つ、第１端及び第２端のそれぞれにて開口する筒状の本体部を備えるとともに、前記第１端と前記第２端とを結ぶ分離線にて分離可能であり、
前記第１端は、前記本体部のうちの鉛直上方向における端であり、
前記第２端は、前記本体部のうちの鉛直下方向における端であり、
前記第２端から鉛直下方向へ向かって延出する板状体である延出部を備える、内側体。